(57)【要約】【課題】本発明は、切目線に沿って切り取ることにより上下及び左右方向に大きく広げることのできる、雑誌等に綴じ込んで使用するのに好適な綴じ込み冊子及びその製造方法を提供することである。【解決手段】上下方向に分割する横折線と、左右方向に４分割する３本の縦折線により８枚の単位紙片が左右方向に４個、上下方向に２個連接され、一方の側端に所定巾の綴じ代片が延設され、上下方向の一方の単位紙片と綴じ代片との間に切目線が形成された冊子用紙片を、中央の縦折線にて綴じ代片が露出するように折り曲げ、横折線にて切目線が設けられた単位紙片が上方となるように折り曲げた後、さらに縦方向に折り曲げた構成の綴じ込み冊子である。【選択図】        図１
2004322581.tif 000002
【特許請求の範囲】
【請求項１】
上下方向に分割する横折線と、左右方向に４分割する第１縦折線、第２縦折線及び第３縦折線により８枚の単位紙片が左右方向に４個、上下方向に２個連接され、一方の側端に所定巾の綴じ代片が延設され、上下方向の一方の単位紙片と綴じ代片との間に切目線が形成された冊子用紙片を、第２縦折線にて綴じ代片が露出するように折り曲げ、前記横折線にて前記切目線が設けられた単位紙片が上方となるように折り曲げた後、前記第１縦折線及び前記第３縦折線により折り曲げて形成されたことを特徴とする綴じ込み冊子。
【請求項２】
請求項１記載の綴じ込み冊子を紙片間に挿入し、前記綴じ代片にて綴じ込んだことを特徴とする綴じ込み冊子付き本。
【請求項３】
輪転印刷機を使用して連続用紙に所定の絵柄を印刷する工程と、印刷した連続用紙の一方の側端から所定寸法だけ内側の位置に絵柄に見当を合わせて流れ方向に間欠的に切目線を形成する工程と、印刷し切目線を形成した連続用紙を切目線と他方の側端間の中央部にて流れ方向に２つ折りする工程と、形成された切目線の一方の端縁の位置にて連続用紙を流れに直角方向に断裁する工程と、切目線の他方の端縁の位置にて連続用紙を流れに直角方向に２つ折りするとともに流れ方向に２つ折りする工程からなることを特徴とする綴じ込み冊子の製造方法。
【請求項４】
前記切目線が、印刷用版胴の表面に取り付けられた切刃により形成されたものであることを特徴とする請求項３記載の綴じ込み冊子の製造方法。
【発明の詳細な説明】
【０００１】
【発明の属する技術分野】
本発明は、雑誌等に綴じ込んでおくことにより、切目線に沿って切り取って上下及び左右方向に大きく広げることのできる綴じ込み冊子に関する。
【０００２】
【従来の技術】
従来、印刷された内容を見る際に上下及び左右方向に大きく広げることのできる雑誌等に綴じ込まれる綴じ込み冊子としては、例えば、展開した状態が図９に示されているような、一方の側端の中央部に外方に突出した綴じ込み片１０が形成されるとともに、縦方向の折目線１１，１２，１３と横方向の折目線１４，１５  が形成された紙片を、縦方向の折目線１１，１２，１３にてジグザグ折りした後に、横方向の折目線１４，１５  にて折り曲げて折り畳まれた構成の綴じ込み冊子が知られている（参照する特許文献なし）。しかしながら、上記の綴じ込み冊子は、所定の印刷が施されるとともに所定の折目線が形成された枚葉の４角形状の紙片の一方の側端部の上下の部分を打ち抜いて、紙片の一方の側端の中央部に外方に突出した綴じ込み片１０を形成するものであり、枚葉の４角形状の紙片を打ち抜いて綴じ込み片１０を形成する打抜工程が必要になるとともに、４角形状の紙片を所定の折目線に沿って縦方向及び横方向に折り曲げる工程が必要となるため、製造工程が煩雑となりコストアップになるという欠点を有している。
【０００３】
【発明が解決しようとする課題】
本発明は、切目線に沿って切り取ることにより上下及び左右方向に大きく広げることができ、且つ製造が簡単な、雑誌等に綴じ込んで使用するのに好適な綴じ込み冊子及びその製造方法を提供することである。
【０００４】
【課題を解決するための手段】
上下方向に分割する横折線と、左右方向に４分割する第１縦折線、第２縦折線及び第３縦折線により８枚の単位紙片が左右方向に４個、上下方向に２個連接され、一方の側端に所定巾の綴じ代片が延設され、上下方向の一方の単位紙片と綴じ代片との間に切目線が形成された冊子用紙片を、第２縦折線にて綴じ代片が露出するように折り曲げ、前記横折線にて前記切目線が設けられた単位紙片が上方となるように折り曲げた後、前記第１縦折線及び前記第３縦折線により折り曲げて形成された構成の綴じ込み冊子とすることにより、この綴じ込み冊子に地図等を印刷しておき、旅行雑誌等に綴じ込むことにより、綴じ込み冊子に形成されている切目線に沿って切り取って、左右方向及び上下方向に大きく広げて見ることができるとともに、旅行雑誌等から分離してしまうことがないので、地図を紛失することがなく旅行雑誌等と地図をセットで保管することができる。
【０００５】
上記の綴じ込み冊子を紙片間に挿入し、前記綴じ代片にて綴じ込んだ綴じ込み冊子付き本とすることにより、綴じ込み冊子に地図等を印刷しておき、旅行雑誌等に綴じ込むことにより、旅行雑誌等と地図等が分離しないでセットされた状態にすることができる。
【０００６】
輪転印刷機を使用して連続用紙に所定の絵柄を印刷する工程と、印刷した連続用紙の一方の側端から所定寸法だけ内側の位置に絵柄に見当を合わせて流れ方向に間欠的に切目線を形成する工程と、印刷し切目線を形成した連続用紙を切目線と他方の側端間の中央部にて流れ方向に２つ折りする工程と、形成された切目線の一方の端縁の位置にて連続用紙を流れに直角方向に断裁する工程と、切目線の他方の端縁の位置にて連続用紙を流れに直角方向に２つ折りするとともに流れ方向に２つ折りする工程からなる綴じ込み冊子の製造方法とすることにより、汎用のオフセット輪転印刷機等を使用して連続用紙に所定の絵柄を印刷し、所定の位置に間欠的に所定形状の切目線を形成する工程と、インラインにて、流れ方向の折り加工、流れに直角方向の断裁加工、流れに直角方向の折曲加工を行って製造できるので、綴じ込み冊子を効率的に低価格で生産することが可能となる。
【０００７】
上記の綴じ込み冊子の製造方法において、前記切目線が印刷用版胴の表面に取り付けられた切刃により形成される方法とすることにより、印刷絵柄に見当を合わせた所定位置に所定形状の切目線を簡単に形成することができる。
【０００８】
【発明の実施の形態】
以下、図面を引用して本発明の実施の形態を説明する。
図１は本発明の実施形態の綴じ込み冊子の折り畳んだ状態の平面図、図２は図１におけるＩ−Ｉ線断面図、図３は実施形態の綴じ込み冊子を本に綴じ込んだ状態の斜視図、図４は本に綴じ込んだ綴じ込み冊子を切目線で切って展開した状態の斜視図、図５は本発明の綴じ込み冊子を作製するための冊子用紙片を示す平面図、図６は図３に示す冊子用紙片を左右方向に２つ折した状態の平面図、図７は図４に示す状態から上下方向に２つ折した状態の平面図、図８は実施形態の綴じ込み冊子を作製するための所定位置に間欠的に切目線が形成された連続用紙を示す平面図、図９は従来から使用されている綴じ込み冊子の展開した平面図であって、１は綴じ込み冊子、２は冊子用紙片、３ａ，３ｂ，３ｃ，  ３ｄ，３ｅ，３ｆ，３ｇ，３ｈは単位紙片、４，４’は綴じ代片、５は切目線、６ａは第１縦折線、６ｂは第２縦折線、６ｃは第３縦折線、７は横折線、８は本、９は断裁線、Ａは連続用紙、１０は綴じ代片、１１，１２，１３，  １４，１５は折目線をそれぞれ表す。
【０００９】
本発明の実施形態の綴じ込み冊子１は、折り畳んだ状態の平面図が図１に、横断面図が図２にそれぞれ示されているとおりであり、図５に示す冊子用紙片を使用して、図６、図７に示す折り曲げられた状態を経て作製されるものである。
【００１０】
実施形態の綴じ込み冊子を作製するための冊子用紙片２は、図５に示すとおりであり、綴じ込まれる本のサイズより小さい寸法を有する単位紙片からなり、単位紙片３ａと単位紙片３ｂと単位紙片３ｃと単位紙片３ｄ及び単位紙片３ｅと単位紙片３ｆと単位紙片３ｇと単位紙片３ｈがそれぞれ左右方向に連接されるとともに上下方向に連接され、単位紙片３ａと単位紙片３ｂ及び単位紙片３ｅと単位紙片３ｆ間に第１縦折線６ａが、単位紙片３ｂと単位紙片３ｃ及び単位紙片３ｆと単位紙片３ｇ間に第２縦折線６ｂが、単位紙片３ｃと単位紙片３ｄ及び単位紙片３ｇと単位紙片３ｈ間に第３縦折線６ｃがそれぞれ形成され、単位紙片３ａ、単位紙片３ｂ、単位紙片３ｃ、単位紙片３ｄと単位紙片３ｅ、単位紙片３ｆ、単位紙片３ｇ、単位紙片３ｈ間に横折線７が形成され、単位紙片３ａの側端に綴じ込み片４’が延設され、単位紙片３ｅの側端に切目線５を介して綴じ込み片４が延設された形状からなる。
【００１１】
図５に示す冊子用紙片２を第２縦折線６ｂにて折り曲げて、図６に示すように、単位紙片３ａと単位紙片３ｂ上に単位紙片３ｄと単位紙片３ｃが、単位紙片３ｅと単位紙片３ｆ上に単位紙片３ｈと単位紙片３ｇがそれぞれ重なり合った状態とした後に、横折線７にて上下方向に折り曲げて、図７に示すように、単位紙片３ｄと単位紙片３ｈ上に単位紙片３ｃと単位紙片３ｇがそれぞれ重なった状態とし、最後に第３縦折線６ｃにて単位紙片３ｅと単位紙片３ｆが重なるように折り曲げることにより、図１に示す、折り畳まれた状態の綴じ込み冊子が得られる。
【００１２】
実施形態の綴じ込み冊子１の折り畳んだ状態の平面図は、図１に示すように、綴じ込まれる本のサイズより小さい寸法を有する単位紙片のサイズに折り畳まれた状態で、単位紙片の側端に所定巾を有する綴じ代片４及び綴じ代片４’が重なった状態で延設されており、上側の綴じ代片４と単位紙片３ｅとの間には切目線５が形成されている。
【００１３】
実施形態の綴じ込み冊子１の折り畳んだ状態の横断面形状は、図２に示すように、上面側から順に、単位紙片３ｂと単位紙片３ｃと単位紙片３ｇと単位紙片３ｆと単位紙片３ｅと単位紙片３ｈと単位紙片３ｄと単位紙片３ａが重なり合った状態となっており、単位紙片３ｅの端縁には切目線５を介して綴じ代片４が連接され、単位紙片３ａの端縁には綴じ代片４’が連接されている。
【００１４】
図１、図２に示す実施形態の綴じ込み冊子１を、重なり合った綴じ代片４と綴じ代片４’にて本８の綴じ部に綴じ込んだ状態は、図３に示すとおりである。本８の綴じ部に綴じ込み冊子１を綴じ込んだ図３に示す状態から、綴じ込み冊子１の切目線５にて綴じ代片４と単位紙片３ｅ間を切り離して、広げることにより図４に示す状態となる。
【００１５】
本８に綴じ込まれた綴じ込み冊子１を広げた図４に示す状態では、単位紙片３ａと単位紙片３ｂと単位紙片３ｃと単位紙片３ｄ及び単位紙片３ｅと単位紙片３ｆと単位紙片３ｇと単位紙片３ｈがそれぞれ左右方向に連接されるとともに上下方向に連接された状態で広げられるので、大きい地図等を綴じ込み冊子１の展開した全面に印刷することができる。また、雑誌等の本と綴じ込み冊子１が分離してしまうことがないので、綴じ込み冊子１のみが紛失してしまうことがなく、旅行雑誌等の内容と綴じ込み冊子１に印刷されている地図を対比しながら見ることができるのできわめて便利である。
【００１６】
実施形態の綴じ込み冊子の製造方法の概略は下記の通りである。オフセツト輪転印刷機等を使用して連続用紙Ａに所定の印刷を行い、印刷した連続用紙Ａの一方の側端から所定寸法だけ内側の位置に、印刷された絵柄に見当を合わせて、流れ方向に間欠的に切目線５を形成し、側端から所定寸法だけ内側の切目線５の位置より側端側を綴じ代片４及び綴じ代片４’とした、図８に示す状態とする。連続用紙Ａの所定位置に間欠的に形成される切目線５は印刷用版胴の表面に取り付けた切刃により形成されるものである。
【００１７】
絵柄が印刷され切目線５が形成された、図８に示す状態から、連続用紙Ａを切目線５が形成された位置と他方の側端間の中央部の第２縦折線６ｂにて流れ方向に２つ折りし、切目線５の一方の端縁の位置にて連続用紙Ａを流れに直角方向に断裁線９に沿って断裁し、次いで、切目線５の他方の端縁の位置にて連続用紙Ａを流れに直角方向に２つ折りした後に、更に、連続用紙Ａを第１縦折線６ａ及び第３縦折線６ｃにて流れに直角方向に２つ折りすることにより、図１に示す折り畳まれた状態の綴じ込み冊子が作製できる。
【００１８】
本発明の綴じ込み冊子の製造方法においては、汎用のオフセツト輪転印刷機等を使用して、連続用紙に所定の絵柄を印刷する工程、連続用紙の所定の位置に間欠的に切目線を形成する工程、流れ方向に折り曲げる工程、流れに直角方向に断裁する工程、更に流れに直角方向に折り曲げる工程を、全てインラインで行うことができるので、綴じ込み冊子を効率的に低価格で製造することが可能となるものである。
【００１９】
【発明の効果】
本発明の構成の綴じ込み冊子とすることにより、この綴じ込み冊子に地図等を印刷しておき、旅行雑誌等に綴じ込むことにより、綴じ込み冊子に形成されている切目線に沿って切り取って、左右方向及び上下方向に大きく広げて見ることができるとともに、綴じ込まれている地図が旅行雑誌等から分離してしまうことがないので、地図を紛失することがなく旅行雑誌等と地図をセットにした状態で保管することができるのできわめて便利である。
【００２０】
また、本発明の綴じ込み冊子の製造方法とすることにより、汎用のオフセット輪転印刷機等を使用して連続用紙に所定の絵柄を印刷するとともに所定の位置に所定形状の切目線を形成する工程とインラインで、流れ方向の折り加工、流れに直角方向の断裁加工、流れに直角方向の折曲加工を行うことにより製造できるので、綴じ込み冊子を効率的に低価格で生産することが可能となる。
【図面の簡単な説明】
【図１】本発明の実施形態の綴じ込み冊子の折り畳んだ状態の平面図。
【図２】図１におけるＩ−Ｉ線断面図。
【図３】実施形態の綴じ込み冊子を本に綴じ込んだ状態の斜視図。
【図４】本に綴じ込んだ綴じ込み冊子を切目線で切って展開した状態の斜視図。
【図５】本発明の綴じ込み冊子を作製するための冊子用紙片を示す平面図。
【図６】図３に示す冊子用紙片を左右方向に２つ折した状態の平面図。
【図７】図４に示す状態から上下方向に２つ折した状態の平面図。
【図８】実施形態の綴じ込み冊子を作製するための所定位置に間欠的に切目線が形成された連続用紙を示す平面図。
【図９】従来から使用されている綴じ込み冊子の展開した平面図。
【符号の説明】
１  綴じ込み冊子
２  冊子用紙片
３ａ，３ｂ，３ｃ，  ３ｄ，３ｅ，３ｆ，３ｇ，３ｈ    単位紙片
４，４’    綴じ代片
５  切目線
６ａ  第１縦折線
６ｂ  第２縦折線
６ｃ  第３縦折線
７  横折線
８  本
９  断裁線
Ａ  連続用紙
１０    綴じ代片
１１，１２，１３，  １４，１５  折目線
【図１】
2004322581.tif 000003
【図２】
2004322581.tif 000004
【図３】
2004322581.tif 000005
【図４】
2004322581.tif 000006
【図５】
2004322581.tif 000007
【図６】
2004322581.tif 000008
【図７】
2004322581.tif 000009
【図８】
2004322581.tif 000010
【図９】
2004322581.tif 000011